(57)【要約】【課題】屋根瓦に屋根を冷却する機能を備えさせる。【解決手段】屋根瓦２０は、屋根瓦の一方の端部から他方の端部に貫通する貫通水路２３と、貫通水路の中間部から屋根瓦の表面に貫通する分水路２４と、分水路の出口を覆って屋根瓦の表面に設けられたタンク５０と、タンクの外面に設けられた苔５１と、タンクに貫通して設けられてタンク内の水を外部に沁み出して苔に水を補給する水補給体５２と、を備えている。【選択図】図３
2010248712.tif 000002
【特許請求の範囲】
【請求項１】
屋根の傾斜に合わせた傾斜状態で整列されて敷設される板状の屋根瓦本体を備えた屋根瓦において、
前記屋根瓦本体を、傾斜状態において上側に位置する上端部から下側に位置する下端部に貫通する貫通水路と、
前記貫通水路の中間部から分岐して上方に延び、前記屋根瓦本体の表面に開口する分水路と、
前記分水路の開口部を覆って前記屋根瓦本体の表面に設けられた貯水部と、
前記貯水部の外面に設けられた苔、芝、蓬等の低背植物と、
前記貯水部に貫通して設けられて前記貯水部内の水を外部に沁み出して前記低背植物に水を補給する水補給体と、を備えた、
ことを特徴とする屋根瓦。
【請求項２】
前記貫通水路は、前記屋根瓦本体の前記上端部の表面側から前記屋根瓦本体の厚さ方向の中間部まで延びる給水路と、前記屋根瓦本体の前記下端部の裏面側から前記屋根瓦本体の厚さ方向の中間部まで延びる排水路と、上流端が前記給水路に連結され、中間部が前記屋根瓦本体に沿って延び、下流端が前記排水路に連結される傾斜水路と、を有する、
ことを特徴とする請求項１に記載の屋根瓦。
【請求項３】
前記給水路は、前記屋根瓦本体の上端部の表面側に、上側に位置する前記屋根瓦の下端部の裏面側が重ねられた際に、前記上側に位置する前記屋根瓦の前記排水路に連通される位置に形成されている、
ことを特徴とする請求項２に記載の屋根瓦。
【請求項４】
前記水補給体が、毛細管現象によって前記水を沁み出す繊維状体物である、
請求項１ないし３のいずれか１項に記載の屋根瓦。
【請求項５】
前記傾斜水路と前記分水路との間に半球状の水貯を形成した、
ことを特徴とする請求項２ないし４のいずれか１項に記載の屋根瓦。
【請求項６】
請求項１ないし５のいずれか１項に記載の、複数の前記屋根瓦を、前記屋根瓦本体の前記上端部の上に、上側に位置する前記屋根瓦本体の前記下端部を重ねて各前記屋根瓦本体の貫通水路同士が連通した状態で配列して形成した屋根に水を供給する冷暖房支援システムであって、
前記屋根の最上位の屋根瓦の貫通水路に水を供給するポンプと、
各前記屋根瓦の貯水部の上端に貫通して形成された空気抜き孔と、
前記貯水部内の水の浮力によって前記空気抜き孔を開閉するフロートと、
前記屋根の最下位の屋根瓦の貫通水路の出口に設けられたドレンバルブと、を備え、
前記ドレンバルブは、前記貯水部に水が充填されて前記フロートが前記空気抜き孔を塞いだ状態で、前記ポンプの水圧を受けたとき、閉状態から開状態になって、前記屋根に供給された余分な水を排出する、
ことを特徴とする冷暖房支援システム。
【請求項７】
前記屋根に降った雨を貯める貯水タンクと、
前記ドレンバルブから排出された水を前記貯水タンクに回収する回収路と、を備え
前記ポンプが、前記貯水タンクの雨水を前記最上位の屋根瓦の貫通水路に供給する、
ことを特徴とする請求項６に記載の冷暖房支援システム。
【請求項８】
前記貯水部の前記低背植物が設けられた少なくとも一部分が水平に形成されている、
ことを特徴とする請求項６又は７に記載の冷暖房支援システム。
【請求項９】
各前記屋根瓦の貫通水路同士は、水漏れ防止用の水漏れ防止体を介して連通している、
ことを特徴とする請求項６又は７に記載の冷暖房支援システム。
【請求項１０】
前記ドレンバルブが、前記最下位の屋根瓦の貫通水路の出口を弾性体に付勢されて塞ぐドレン栓を有し、前記ドレン栓が、前記弾性体に抗した前記ポンプの水圧を受けたとき、前記接続水路の出口を開いて、余分な水を排出する、
ことを特徴とする請求項６又は７に記載の冷暖房支援システム。
【発明の詳細な説明】
【技術分野】
【０００１】
本発明は、通水路を有する屋根瓦と、この屋根瓦を使用した屋根による冷暖房支援システムに関する。
【背景技術】
【０００２】
建造物は、夏季、太陽の日差しによって屋根の温度が上昇し、その影響を受けて、室内の温度も上昇することがある。また、積雪地方においては、冬季、屋根の積雪によって、屋根が破損したり、室内の暖房効率が低下したりすることがある。
【０００３】
そこで、従来、屋根に水を散布して、屋根の温度上昇を抑え、室内の温度を下げる冷却システムがある（特許文献１参照）。その従来の冷却システムは、屋根の棟に設置された散水機器で屋根に水を散布して、屋根の温度を下げるようになっている。また、この冷却システムを利用して、屋根に水又は温水を散布することで、屋根に積もった雪を溶かすことも可能である。
【特許文献１】特開２００４−７６５４１号公報
【発明の概要】
【発明が解決しようとする課題】
【０００４】
しかし、従来の冷却システムは、次の課題があった。
【０００５】
（１）散水機器が散布した水が風に煽れて、屋根全体に水を散布することができない。このため、冷却効率や融雪効率が低くかった。また、水が周囲に飛散して、周囲の住民に迷惑を与えることがあった。
【０００６】
（２）散水機器を取付ける屋根の一部分を強固にする必要があった。しかも、散水機器は、強風に耐えられるように強固に設置しなければならないので、施工に手間を要していた。
【０００７】
（３）散水機器を屋根の棟に設置するため、建造物の外観を損ねていた。しかも、散水機器は、屋根の棟に設置されるため、設置位置が高く、外部から目立ち、建造物の外観を損ねていた。
【０００８】
本発明は、屋根の冷却効率，融雪効率を高めた屋根瓦と、屋根に散水機器を取付けることなく屋根を冷却し、また融雪し、しかも、建造物の外観を損なわない冷暖房支援システムとを提供することにある。
【課題を解決するための手段】
【０００９】
本発明（屋根瓦）は、屋根の傾斜に合わせた傾斜状態で整列されて敷設される板状の屋根瓦本体を備えた屋根瓦において、前記屋根瓦本体を、傾斜状態において上側に位置する上端部から下側に位置する下端部に貫通する貫通水路と、前記貫通水路の中間部から分岐して上方に延び、前記屋根瓦本体の表面に開口する分水路と、前記分水路の開口部を覆って前記屋根瓦本体の表面に設けられた貯水部と、前記貯水部の外面に設けられた苔、芝、蓬等の低背植物と、前記貯水部に貫通して設けられて前記貯水部内の水を外部に沁み出して前記低背植物に水を補給する水補給体と、を備えた、ことを特徴としている。
【００１０】
また、本発明（冷暖房支援システム）は、上述の複数の前記屋根瓦を、前記屋根瓦本体の前記上端部の上に、上側に位置する前記屋根瓦本体の前記下端部を重ねて各前記屋根瓦本体の貫通水路同士が連通した状態で配列して形成した屋根に水を供給する冷暖房支援システムであって、前記屋根の最上位の屋根瓦の貫通水路に水を供給するポンプと、各前記屋根瓦の貯水部の上端に貫通して形成された空気抜き孔と、前記貯水部内の水の浮力によって前記空気抜き孔を開閉するフロートと、前記屋根の最下位の屋根瓦の貫通水路の出口に設けられたドレンバルブと、を備え、前記ドレンバルブは、前記貯水部に水が充填されて前記フロートが前記空気抜き孔を塞いだ状態で、前記ポンプの水圧を受けたとき、閉状態から開状態になって、前記屋根に供給された余分な水を排出する、ことを特徴としている。
【発明の効果】
【００１１】
本発明の屋根瓦は、次の効果を奏する。
【００１２】
（１）夏季、太陽の強い日差しを低背植物によって遮り、かつ屋根瓦に滲み出た水が蒸発するときの気化熱によって屋根瓦を冷やすことができるので屋根の温度上昇を防止して、家屋の室内の温度を下げて、家屋の居住性を高めることができる。
【００１３】
（２）屋根瓦の表面に滲み出た水によって、低背植物を育成することができて、地球温暖化を抑制することができる。
【００１４】
（３）低背植物の緑によって、地球の緑化に貢献することもできる。
【００１５】
（４）貯水部に貯めた水によって、低背植物の育成を助けるとともに、屋根を冷却して、室内の温度を下げることができる。
【００１６】
（５）冬季には、屋根に積もった雪を効率良く融かすことができる。
【００１７】
本発明の冷暖房支援システムは、次の効果を奏する。
【００１８】
（１）水が屋根瓦の貫通水路を通って、貯水部に貯まり、屋根を冷却し、さらに、屋根瓦の表面に水補給体によって滲み出て蒸発するときの気化熱によっても屋根を冷却するようになっているので、従来の散水機器によって水を散布していた場合と比較して、屋根全体を確実に冷却することができて、冷却効率を高めることができる。また、水を有効に使用することができる。さらに、水が周囲に飛散すること少なく、周囲の住民に迷惑をかけることが少なくなる。
【００１９】
（２）散水機器を取付ける必要が無くなり、屋根の一部分を特別に強固にする必要がなくなるので、施工に手間を要しなくなる。
【００２０】
（３）貯水部に水を常時貯めておくことができるので、低背植物に、常時、水を補給することができて、低背植物が枯れるのを防止し、地球温暖化の抑制や、地球の緑化に貢献することができる。
【００２１】
（４）貯水部に貯めた水によって、低背植物の育成を助けるとともに、屋根を冷却して、室内の温度を下げることができる。
【００２２】
（５）ポンプによって、屋根瓦の貯水部に水を貯めるとき、ドレンバルブによって余分な水が排出されるまで、貯水部に水を貯めることができるので、貯水部に水を確実に貯めることができる。
【００２３】
（６）貯水部に貯められた水が少なくなると、ポンプによって水を補給することができる。
【００２４】
（７）冬季には、屋根に積もった雪を効率良く融かすことができる。
【図面の簡単な説明】
【００２５】
【図１】冷暖房支援システムの概略図である。
【図２】図２は、図１のＡ−Ａ矢視断面図である。
【図３】家屋の屋根の傾斜に沿った屋根瓦の断面図である。
【図４】図３の屋根瓦の平面図である。
【図５】屋根瓦の重なり合う部分の断面図である。
【図６】図５のＢ−Ｂ矢視図である。
【図７】ドレンバルブの縦断面図であり、（Ａ）は、ドレンバルブが貫通水路の下端を閉じている図、また、（Ｂ）は、ドレンバルブが貫通水路の下端を開いている図である。
【図８】ドレンセンサが配設されたドレンバルブの縦断面図であり、（Ａ）は、ドレンセンサがドレン栓を検知しないオフ状態を説明する図、また、（Ｂ）は、ドレンセンサがドレン栓を検知したオン状態を説明する図である。
【発明を実施するための形態】
【００２６】
本発明の実施形態における冷暖房支援システム１を図に基づいて説明する。図１は、冷暖房支援システム１全体を模式的に説明する斜視図である。なお、同図においては、相互に逆方向に傾斜した屋根１１の一方の面に、屋根１１の傾斜方向に沿って４列で、傾斜方向に対して直交する方向に３列の合計１２枚の屋根瓦２０を敷設した例を示している。図２は、図１のＡ−Ａ矢視断面図である。
【００２７】
家屋１０の屋根１１に降った雨水は、雨樋１２と、給水パイプ１３とを通って、貯水槽１４に集められる。貯水槽１４の雨水は、ポンプ１５によって汲み上げられて、揚水パイプ１６を経て、屋根１１の棟４１内に納められた水平路１７に供給される。そして、雨水は、水平路１７から屋根瓦２０内の貫通水路２３を通って、各屋根瓦２０のタンク５０(貯水部、図２参照)に貯められる。雨水は、タンク５０を満たすと、最下位の屋根瓦２０に設けられたドレンバルブ７０によって雨樋１２に排出される。揚水パイプ１６の途中には、水量を調節するバルブ１８が設けられている。貯水槽１４内のオーバーフローした雨水は、オーバーフローパイプ１９によって、排出されるようになっている。
【００２８】
次に、屋根瓦２０を説明する。図３は、家屋１０の屋根１１の傾斜に沿った屋根瓦２０の断面図、すなわち図３に示す屋根瓦２０の拡大図である。図４は、図３の屋根瓦２０の平面図である。図５は、屋根瓦２０の重なり合う部分の断面図である。図６は、図５のＢ−Ｂ矢視図である。
【００２９】
屋根瓦２０には、具体的に粘土瓦、セメント瓦、樹脂瓦等があるが、本発明に係る屋根瓦２０は、合成樹脂によって形成するのが好適である。屋根瓦２０は、長方形の板状に形成された屋根瓦本体２０Ａを有している。屋根瓦本体２０Ａには、屋根瓦２０を屋根１１に並べたときの上端部の上面（表面）に凹部２１が形成されている。屋根瓦本体２０Ａの下端部の下面（裏面）には、屋根瓦を並べたとき上位隣の屋根瓦本体２０Ａの凹部２１に嵌合する嵌合部２２が形成されている。
【００３０】
なお、上位隣の屋根瓦２０を上位瓦と言い、下位隣の屋根瓦２０を下位瓦と言う。屋根瓦本体２０Ａには、屋根瓦２０を屋根１１に並べたとき上端部（一方の端部）２０ａの凹部２１から下端部（他方の端部）２０ｂの嵌合部２２に貫通する貫通水路２３と、貫通水路２３の中間部から屋根瓦本体２０Ａの表面２０ｃに貫通する分水路２４と、貫通水路２３の上流端部に連通した上向きの受入孔２５と、下位隣の屋根瓦の受入孔２５に進入する下向きの環状突起２６とが形成されている。ここで、貫通水路２３は、屋根瓦本体２０Ａ
上端部２０ａの表面側から屋根瓦本体２０Ａの厚さ方向の中間部まで延びる給水路２３ａと、屋根瓦本体２０Ａの下端部２０ｂの裏面側から屋根瓦本体２０Ａの厚さ方向の中間部まで延びる排水路２３ｃと、上流端が前記給水路に連結され、中間部が屋根瓦本体２０Ａに沿って直線状に延び、下流端が前記排水路２３ｃに連結される傾斜水路２３ｂとを有するということもできる。分水路２４と貫通水路２３（傾斜水路２３ｂ）との境目には、水が貫通水路２３から分水路２４に流入しやすいように、半球状の水貯３５が形成されている。環状突起２６の内径部２６ａは、貫通水路２３の下流端部を形成している。貫通水路２３（図６）は、平行に複数形成されている。また、屋根瓦本体２０Ａの下端部には、屋根瓦２０同士を接続するボルト２７の貫通孔２８が形成され、屋根瓦本体２０Ａの上端部には、ボルト２７がねじ込まれる雌ねじ孔２９が形成されている。屋根瓦本体２０Ａの上端部になる部分の上面には、屋根瓦本体２０Ａの上端に平行な突条３２が形成され、下端部になる部分の下面には、屋根瓦本体２０Ａの下端に平行な溝３３が形成されている。
【００３１】
屋根瓦２０は、屋根に並べられるとき、凹部２１と受入孔２５とを屋根１１の上方に位置させて上向きに置かれる。そして、下位の屋根瓦２０の屋根瓦本体２０Ａの上端部２０ａの上面に、上位の屋根瓦２０の屋根瓦本体２０Ａの下端部２０ｂの下面を重ねて置かれる。このため、下位の屋根瓦本体２０Ａの凹部２１に上位の屋根瓦本体２０Ａの嵌合部２２が嵌合して重なり合って、下位瓦の突条３２と上位瓦の溝３３とが嵌合する。突条３２と溝３３との嵌合によって、屋根瓦２０同士のずれを防止している。また、下位の屋根瓦２０の受入孔２５に上位の屋根瓦２０の環状突起２６が嵌合する。この結果、上位の屋根瓦２０の貫通水路２３と下位の屋根瓦２０の貫通水路２３とが連通する。
【００３２】
貫通水路２３同士の連通によって、水漏れが生じないように、環状突起２６の外周にはＯリング３０が装着され、受入孔２５の周囲にはパッキン３１が装着されている。Ｏリング３０は、受入孔２５と環状突起２６との隙間を密閉している。パッキン２８は、ボルト２７を、上位の屋根瓦２０の貫通孔２８に貫通させて、下位の屋根瓦２０の雌ねじ孔２９にねじ込んで、互いに接近させられる上位の屋根瓦２０と下位の屋根瓦２０とに挟まれて、受入孔２５と環状突起２６との周囲を密閉するようになっている。
【００３３】
屋根瓦２０は、上位瓦の屋根瓦本体２０Ａの下端部と下位瓦の屋根瓦本体２０Ａの上端部とを重ねて並べると、連通された複数の貫通水路２３によって、屋根１１(図１)の棟４１から屋根１１の軒先４２に設けた断面Ｕ字状の雨樋１２までの間に、水路３４を形成するようになっている。
【００３４】
ところで、屋根瓦２０には、屋根瓦本体２０Ａの分水路２４の出口（開口部）を覆う断面三角形のタンク（貯水部）５０が設けられている。タンク５０の上面部５０ａは、屋根瓦２０を屋根１１に取付けたとき、略水平になるように形成されている。タンク５０の下端部５０ｂは、上面５０ａに対して直角よりやや大きく（約１００度）に形成されている。図４において、タンク５０の左右方向の両端部５０ｃは、傾斜している。
【００３５】
タンク５０の外面には、苔５１が設けられている。なお、苔の他に、芝やセダムや這うようにして成長する蓬等の背の低い直物（低背植物）を設けてもよい。タンク５０には、上面部５０ａ、下端部５０ｂ、両端部５０ｃの各々を貫通して、タンク５０内に延びて、タンク５０内の水Ｗを外部に滲み出して、苔５１に水を補給する水補給体５２が複数設けられている。水補給体５２は、毛細管現象によってタンク５０内の水を沁み出す繊維状体物である。
【００３６】
タンク５０の上面部（上端）５０ａには、空気抜き孔５３が貫通して形成されている。空気抜き孔５３には、フロート５４の軸部５４ａが貫通している。フロート５４は、タンク内の水Ｗの浮力によって空気抜き孔５３に接近離間するようになっている。フロート５４には、空気抜き孔５３を開閉する円錐部５４ｂが形成されている。フロート５４は、タンク内の水が少なくなったとき、軸部５４ａが空気抜き孔５３から抜け出ないように保持部材５５で保持されている。
【００３７】
次に、ドレンバルブ７０を説明する。図７は、ドレンバルブ７０の断面図である。（Ａ）は、ドレンバルブ７０が貫通水路２３の下端を閉じている図である。（Ｂ）は、ドレンバルブ７０が貫通水路２３の下端を開いている図である。
【００３８】
最下位の屋根瓦２０の貫通水路２３の下流には、ドレンバルブ７０が装着される装着口３７と、装着口３７から分岐したドレン水路３８とが形成されている。装着口３７は、貫通水路２３より大径である。
【００３９】
ドレンバルブ７０は、先端が円錐状のドレン栓７１と、ドレン栓７１の先端７１ａを貫通水路２３の下流端２３ａに押し付けるばね７２と、装着口３７の出口にねじ込まれてばね７２を受け止める止めねじ７３とで構成されている。
【００４０】
最下位の屋根瓦２０のうちの、少なくとも１つには、図８（Ａ），（Ｂ）に示すように、ドレンセンサ７４が配設されている。ドレンセンサ７４としては、例えば、ねじ込み用の近接スイッチ７５を使用することができる。近接スイッチ７５は、図７（Ａ），（Ｂ）に示す止めねじ７３に代えてねじ込まれためくらねじ７６の中心を貫通するように取り付けられている。近接スイッチ７５の先端７５ａは、ばね７２の内側に少し突設されていて、ドレン栓７１の背面（検知面）７１ｂに対面している。図８（Ａ）に示す状態は、各屋根瓦２０のタンク５０や貫通水路２３には、まだ雨水が充填されていない状態であって、貫通水路２３の水圧が低いため、ドレン栓７１は、ばね７２に付勢されて貫通水路２３を閉鎖している。このとき、近接スイッチ７５の先端７５ａとドレン栓７１の背面７１ｂとの間の距離ａが所定に閾値以上であるため、近接スイッチ７５は、ドレン栓７１を検知しない。したがって、ポンプ１５は、作動を続けて、貯水槽１４内の雨水を揚水パイプ１６を経て屋根１の棟４１内に納められた水平路１７に供給する。
【００４１】
この供給により、各屋根瓦２０のタンク５０や貫通水路２３に雨水が充填されると、図８（Ｂ）に示す貫通水路２３の水圧が上昇して、ドレン栓７１がばね７２の付勢力に抗して押し戻され貫通水路２３を開放して、貫通水路２３がドレン水路３８と連通し、ドレン水路３８から雨水が雨樋１２に流れる。このとき、押し戻されたドレン栓７１の背面７１ｂと、近接スイッチ７５の先端７５ａとの距離ｂが閾値未満となるため、近接スイッチ７５は、ドレン栓７１を検知する。これにより、ポンプ１５の回転を停止させて、雨水の供給を停止する。これにより、ポンプ１５の不要な回転を防止することができる。
【００４２】
屋根瓦２０は、屋根１１の下端部（軒先４２）から棟４１に向けて並べられる。屋根瓦２０は、軒先４２側の屋根瓦２０の上端部２０ａの上に、棟４１側の屋根瓦２０の下端部２０ｂを重ねて並べられる。このとき、前述したように、下位の屋根瓦２０の受入孔２５に上位の屋根瓦２０の環状突起２６を嵌合させて、上位の屋根瓦２０の貫通水路２３と下位の屋根瓦２０の貫通水路２３とを連通される。貫通水路２３同士が連通されると、屋根１１の棟４１から、屋根１１の軒先４２に設けた断面Ｕ字状の雨樋１２までの間に、水路３４が形成される。
【００４３】
家屋１０の屋根１１に降った雨水は、雨樋１２と、給水パイプ１３とを通って、貯水槽１４に集められる。貯水槽１４内のオーバーフローした雨水は、オーバーフローパイプ１９によって、排出される。貯水槽１４の雨水は、ポンプ１５によって汲み上げられて、揚水パイプ１６を経て、最上位の屋根瓦２０の水平路１７に供給される。貫通水路２３に供給される雨水の水量は、バルブ１８によって調節される。屋根瓦２０の貫通水路２３に供給される雨水は、最下位の屋根瓦２０の貫通水路２３まで流れる。このとき、ドレンバルブ７０は、ドレン水路３８を閉めている。
【００４４】
このため、雨水は、ドレン水路３８から排出されることなく、最下位の屋根瓦２０の分水路２４から最下位の屋根瓦２０のタンク５０内に流れ込む。分水路２４からタンク５０内に雨水が流れ込むとき、分水路２４の入口に形成された半球状の水貯３５内に雨水が流入するので、雨水は、分水路２４に容易に流入する。
【００４５】
タンク５０内の貯水量が増えて、水位が上がるに従って、タンク５０内の空気が空気抜き孔５３から排出され、フロート５４の円錐部５４ｂが空気抜き孔５３に接近する。タンク５０が満タン近くなると、フロート５４の円錐部５４ｂが空気抜き孔５３を塞ぐ。このため、タンク５０が密閉状態になり、雨水は、最下位の屋根瓦のタンク５０に流入することなく、最下位の屋根瓦の上位隣の屋根瓦２０のタンク５０に流入する。
【００４６】
そして、雨水は、最下位の屋根瓦２０の上位隣の屋根瓦２０のタンク５０に、最下位の屋根瓦２０のタンク５０と同様に貯められる。このようにして、最下位の屋根瓦２０のタンク５０から上位の屋根瓦２０のタンク５０に順次雨水が貯められていく。そして、棟４１に位置する最上位の屋根瓦２０のタンク５０に雨水が貯められても、ポンプ１５が回転を継続して、水路３４に雨水が供給され続けていると、ポンプ１５の水圧が、ドレンバルブ７０のドレン栓７１に加わる。ドレン栓７１は、ポンプ１５の水圧に押されて、ばね７２に抗して止めねじ７３側に移動し、ドレン水路３８を開く。この結果、ポンプ１５からの雨水は、余分な雨水として、ドレン水路３８から排出されて、雨樋１２、給水パイプ１３を経て、貯水槽１４に回収される。ポンプ１５が停止すると、ドレン栓７１にポンプ１５の水圧が加わらなくなり、ドレン栓７１は、ばね７２に押されて、ドレン水路３８を閉じる。
【００４７】
各タンク５０に貯まった水は、水補給体５２によってタンク５０の表面に滲み出て、タンク５０の表面に設けられた苔５１に補給される。この結果、苔５１が増えて、屋根全体が苔５１で覆われて、緑に覆われた状態になる。
【００４８】
各タンク５０内の雨水は、水補給体５２によってタンク５０の表面に常時滲み出ている。このため、日数が経つと、タンク内の水量が減り、水位が下がる。水位が所定の水位よりも下がると、任意の屋根瓦２０に設けられている貯水量検知センサ（不図示）によって、水位の低下が検知されて、ポンプ１５が自動的に回転する。全ての屋根瓦２０のタンク５０に雨水が供給されて、各タンク５０が満杯になり、ドレンバルブ７０のドレン栓７１が貫通水路２３の下流端２３ａが離れる動作をして、余分な雨水が排出されるとき、ドレンセンサ７４（近接スイッチ７５）がドレン栓７１の動きを検知する。ポンプ１５は、ドレンセンサ７４の検知動作によって、停止して、タンク５０への雨水の供給を停止する。なお、ポンプ１５は、使用者が手動でスイッチ（不図示）をＯＮ、ＯＦＦして、始動，停止させてもよい。
【００４９】
以上のように、屋根瓦２０は、屋根瓦本体２０Ａに形成された貫通水路２３を経て、タンク５０に雨水が貯められ、その雨水が水補給体５２によって、表面に常時滲み出て屋根１１を冷却することができるので、次の効果を奏する。
【００５０】
従来必要とした、散水機器を使用しないで屋根１１を冷却することができるので、雨水が風に煽れて飛散することがなく、屋根全体を均一に冷却することができて、冷却効率を高めることができる。また、雨水が飛散することがないことによって、雨水の利用効率を高めることができる。さらに、周囲の住民に迷惑をかけることがなくなる。また、散水機器を設けないので、屋根１１を一部分を特別に強固にする必要がなくなる。
【００５１】
屋根瓦２０は、その表面に滲み出た水によって、苔５１を育成することができて、地球温暖化を抑制することができる。また、苔５１の緑によって、地球の緑化に貢献することもできる。さらに、夏季、太陽の強い日差しを苔によって遮り、かつ屋根瓦２０に滲み出た水の気化熱によって屋根瓦２０を冷すことができて、屋根１１の温度上昇を防止し、家屋１０の室内の温度を下げることができる。
【００５２】
また、以上の冷暖房支援システム１は、ポンプ１５によって、屋根瓦２０のタンクに雨水を貯めるとき、ドレンバルブ７０によって余分な雨水が排出されるまで、タンク５０に水を貯めることができるので、タンク５０に雨水を確実に貯めることができる。また、タンク５０に貯められた水が少なくなると、ポンプ１５によって雨水を補給することができる。このようにして、冷暖房支援システム１は、タンク５０に水を常時貯めておくことができるので、雨水の利用効率、屋根１１の冷却率を一定して、家屋１０の居住性を高めた状態に維持することができる。
【００５３】
以上の説明では、冷暖房支援システム１を、もっぱら屋根１１の冷却に使用する場合について説明したが、本発明に係る冷暖房支援システム１は、室内の暖房を支援することもできる。すなわち、雪国においては、積雪時の屋根の雪下ろしが必須の作業となる。そこで、本発明に係る冷暖房支援システム１を利用して、例えば、貯水槽１４にヒータ（不図示）を設けて温水を作り、この温水を冷暖房支援システム１によって屋根瓦２０に供給するようにすれば、屋根１１に積もった雪を効率よく融かすことができるとともに、屋根１１の積雪をなくすことにより、室内の暖房効率を高めることができる。さらに、冬場は、積雪のない地方においても、冷暖房冷却システム１に温水を通すことは、凍結防止に有効である。
【符号の説明】
【００５４】
Ｗ      水
１      冷暖房支援システム
１０      家屋
１１      屋根
１３      給水パイプ(回収路）
１４      貯水槽
１５      ポンプ
１６      揚水パイプ(回収路）
１８      バルブ
２０      屋根瓦
２０Ａ    屋根瓦本体
２０ａ    上端部（一方の端部）
２０ｂ    下端部（他方の端部）
２０ｃ    上面（表面）
２３      貫通水路
２３ａ    下流端（出口）
２４      分水路
３０      Ｏリング（水漏れ防止体）
３１      パッキン（水漏れ防止体）
３４      水路
３５      水貯
４１      棟
４２      軒先
５０      タンク（貯水部）
５１      苔（低背植物）
５２      水補給体
５３      空気抜き孔
５４      フロート
７０      ドレンバルブ
７１      ドレン栓
７２      ばね（弾性体）
【図１】
2010248712.tif 000003
【図２】
2010248712.tif 000004
【図３】
2010248712.tif 000005
【図４】
2010248712.tif 000006
【図５】
2010248712.tif 000007
【図６】
2010248712.tif 000008
【図７】
2010248712.tif 000009
【図８】
2010248712.tif 000010